(57)【特許請求の範囲】
【請求項１】
書き換え可能な書籍型可逆性表示記録媒体とこの書籍型可逆性表示記録媒体の書き換えを行う書換器とを具備してなる書換可能な表示記録装置であって、
前記書籍型可逆性表示記録媒体が少なくとも着色または消去しようとする表示面上の位置に対応する外部の位置から加えられるエネルギにより着色及び消去される表示記録シートを複数枚、その一側辺で綴じ合わせてなるものであって、
前記書換器が前記エネルギの印加手段を設けたシート状の前記エネルギ印加用のシートが複数枚、各前記エネルギ印加用のシート間に表示記録シートを挿入可能にして備え、各前記エネルギ印加用のシートは、前記表示記録シートが挿入されたときに前記表示記録シートの全面に対向する大きさを有し、前記エネルギの印加手段は、前記表示記録シート全面の内で着色又は消去を行おうとする位置と対向する前記エネルギ印加用のシートの位置から前記エネルギを前記表示記録シートに印加するものである、
ことを特徴とする書換可能な表示記録装置。
【請求項２】
エネルギにより着色及び消去される複数枚の表示記録シートを備えた可逆性表示記録媒体を書き換える可逆性表示記録媒体用書換器において、
前記エネルギの印加発熱手段が設けられたシート状の前記エネルギ印加用のシートが複数枚、各前記エネルギ印加用のシート間に前記表示記録シートを挿入可能にして備え、各前記エネルギ印加用のシートは、前記表示記録シートが挿入されたときに前記表示記録シートの全面に対向する大きさを有し、前記エネルギの印加手段は、前記表示記録シート全面の内で着色又は消去を行おうとする位置と対向する前記エネルギ印加用のシートの位置から前記エネルギを前記表示記録シートに印加することを特徴とする可逆性表示記録媒体用書換器。
【発明の詳細な説明】
【０００１】
【産業上の利用分野】
本発明は、画像の記録・消去が可能な可逆性表示記録媒体及び書換器を備えた書換可能な表示記録装置、及び、そのための可逆性表示記録媒体用書換器の構造に関する。
【０００２】
【従来の技術】
情報を記録、表示する手段の一つとして、電子ディスプレイの普及が進む一方、情報の読み易さ、携帯性、低コスト等の面からいわゆるハードコピーの需要は未だ根強いものがある。このような要求に答えると共に、近年問題となっている紙の無駄遣いを極力少なくするために、一時的な画像の形成ができ、且つ形成された画像が不要となったときには消去できるようにした種々の可逆性記録媒体が提案されている（例えば、特開昭５５−１５４１９８号公報、特開昭６３−３１７３８５号公報等参照）。
【０００３】
一方、大量の情報を効率良く書き換えたり、表示、検索等ができるものとしては、近年、本のような形態に構成されたいわゆる電子情報ブックが種々提案されている（例えば、特開平２−２５４４２０号公報、特開平４−３５５７８６号公報等参照）。
【０００４】
【発明が解決しようとする課題】
ところが、前述のような可逆性記録媒体のいずれもシート単体の媒体であり、書き込み又は書き換えの際、一枚毎に別個に行わなければならず、大量の情報を効率よく処理することができないという欠点を有している。
そこで、このような欠点を解決するものとして、例えば、特開平４−２６５９８９号公報には、発熱部材を可逆性記録媒体上に搭載し、書き込みや書き換えに要する時間を短縮できるようにしたものが提案されているが、発熱部材と共に駆動回路等も可逆性記録媒体上に設けなければならないので、全体として大型のものとなるばかりか高価格のものとなるという問題があった。
【０００５】
また、前述の公報に開示された電子情報ブックにあっては、液晶パネルと駆動回路が着脱自在に構成されているものの、パネルが比較的厚く可撓性に欠けるので従来の本のような使い勝手ができず、携帯性に欠けることに加え、液晶パネルには駆動回路の一部を構成するシフトレジスタ等の回路並びに列及び行電極などを形成する構造となっているため、高価格化を招くという問題があった。
さらに、液晶パネルと駆動回路はコネクタにより着脱自在となっているが、コネクタ部分での信頼性、耐久性が必ずしも十分ではないという問題もあった。
【０００６】
本発明は、上記実情に鑑みてなされたもので、比較的多くの情報の書き込み、書き換えが一括して簡易にでき、しかも従来の本のような使い勝手を有し、小型で携帯性に富む書換可能な表示記録装置並びに書籍型可逆性表示記録媒体及び可逆性表示記録媒体用書換器を提供するものである。
本発明の他の目的は、低コストで画質良好な書換可能な表示記録装置及び書籍型可逆性表示記録媒体を提供することにある。
また、本発明の他の目的は、コネクタのような着脱を繰り返すような部位がなく信頼性、耐久性の高い書換可能な表示記録装置及び書籍型可逆性表示記録媒体を提供することにある。
さらに、本発明の他の目的は、書き込み、書き換えが一括して簡易にできる小型且つ携帯性に富む書換可能な表示記録装置及び可逆性表示記録媒体用書換器を提供することにある。
【０００７】
【課題を解決するための手段】
請求項１記載の発明に係る書換可能な表示記録装置は、書き換え可能な書籍型可逆性表示記録媒体とこの書籍型可逆性表示記録媒体の書き換えを行う書換器とを具備してなる書換可能な表示記録装置であって、前記書籍型可逆性表示記録媒体が少なくとも着色または消去しようとする表示面上の位置に対応する外部の位置から加えられるエネルギにより着色及び消去される表示記録シートを複数枚、その一側辺で綴じ合わせてなるものであって、前記書換器が前記エネルギの印加手段を設けたシート状の前記エネルギ印加用のシートが複数枚、各前記エネルギ印加用のシート間に表示記録シートを挿入可能にして備え、各前記エネルギ印加用のシートは、前記表示記録シートが挿入されたときに前記表示記録シートの全面に対向する大きさを有し、前記エネルギの印加手段は、前記表示記録シート全面の内で着色又は消去を行おうとする位置と対向する前記エネルギ印加用のシートの位置から前記エネルギを前記表示記録シートに印加するものである、
【０００９】
請求項２記載の発明に係る可逆性表示記録媒体用書換器は、エネルギにより着色及び消去される複数枚の表示記録シートを備えた可逆性表示記録媒体を書き換える可逆性表示記録媒体用書換器において、前記エネルギの印加発熱手段が設けられたシート状の前記エネルギ印加用のシートが複数枚、各前記エネルギ印加用のシート間に前記表示記録シートを挿入可能にして備え、各前記エネルギ印加用のシートは、前記表示記録シートが挿入されたときに前記表示記録シートの全面に対向する大きさを有し、前記エネルギの印加手段は、前記表示記録シート全面の内で着色又は消去を行おうとする位置と対向する前記エネルギ印加用のシートの位置から前記エネルギを前記表示記録シートに印加するものである。
【００１０】
【作用】
請求項１記載の発明においては、書籍型可逆性表示記録媒体は複数の表示記録シートからなり、この表示記録シートは少なくとも外部から加えられるエネルギにより着色または消去されるため、エネルギ印加手段を設けた複数のエネルギ印加用のシートを備えてなる書換器に差し挟みエネルギが印加されることで、書き換え、消去が簡易に行われ、書籍のような携帯性、使用感を有しながらも内容の書き換えが可能な表示記録装置が提供されることとなるものである。
【００１２】
請求項２記載の発明においては、エネルギ印加発熱手段が発熱することによりエネルギ印加用シートが押しつけられた表示記録シートの書き込み、消去ができることとなるが、エネルギ印加用のシートは複数枚備えられているので、同時に複数枚の表示記録シートを挿入して使用することができるようになっており、操作性の向上が図られることとなるものである。
【００１３】
【実施例】
以下、本発明に係る書換可能な表示記録装置及び可逆性表示記録媒体用書換器について、図１乃至図１１を参照しつつ説明する。ここで、図１は書換可能な表示記録装置の一実施例の構成を示す構成図、図２は図１に示された表示記録装置による書き換えの際の状態を示す説明図、図３は書籍型可逆性表示記録媒体の可逆性表示記録シートを可逆性表示記録媒体用書換器の発熱シート間に挿入した状態における縦断面図、図４は可逆性表示記録シートの構成を示す縦断面図、図５は図４に示された可逆性表示記録シートに用いられる調光層の拡大縦断面図、図６は発熱シートの縦断面図、図７は発熱シートを構成する発熱層の一実施例における構成を示す構成図、図８は発熱層の他の実施例における構成を示す構成図、図９は可逆性表示記録シートの他の実施例における構成を示す構成図、図１０は可逆性表示記録媒体用書換器の第６の実施例を示す構成図、図１１は可逆性表示記録シートの温度特性を示す特性線図である。尚、以下に説明する部材、配置等は本発明を限定するものではなく、本発明の趣旨の範囲内で種々改変することができるものである。
【００１４】
先ず、図１乃至図３を参照しつつ本実施例の書換可能な表示記録装置について説明する。
本実施例の書換可能な表示記録装置（以下、「表示記録装置」と言う。）１は、書籍型可逆性表示記録媒体２と可逆性表示記録媒体用書換器（以下、「書換器」と言う。）３とからなるものである。
書籍型可逆性表示記録媒体２は、複数の可逆性表示記録シート４を重ね合わせ、その一側辺で綴じて書籍型に形成されてなるものである。
一方、書換器３は、複数の発熱シート５を上述の書籍型可逆性表示記録媒体２と同様に重ね合わせて且つその一側辺で綴じてなるものである。
【００１５】
そして、書籍型可逆性表示記録媒体２に情報の書き込み、消去を行う場合には、先ず、各可逆性表示記録シート４の間に書換器３の発熱シート５を、ぞれぞれ挿入して重ね合わせるようにした後（図２（ａ）及び図３参照）、表裏方向（図２（ｂ）の矢印方向）から加圧手段６により加圧する。
【００１６】
次に、各発熱シート５を所望の書き込み情報に対応した温度に加熱することにより、各可逆性表示記録シート４が情報に対応して着色又は消去されることとなる。尚、発熱シート５が全面に加熱された場合、または一部分が面状に連続的加熱された場合には、可逆性表示記録シート４は、全面又は一部が着色（又は消去）されていわゆる初期状態となる。
尚、図２の例における加圧手段６は、発熱シート５よりやや大きめの矩形状に形成され、剛性を有する２つの板状部材からなるものである。
【００１７】
本実施例の可逆性表示記録シート４は、支持体７の両面に調光層８、保護層９を順次積層してなるものである（図４参照）。
支持体７は、熱伝導製の低い材料からなるもので、上質紙、中質紙、塗工紙、再生紙等の紙、ポリイミド、アクリル、ポリエステル等の樹脂、樹脂フィルム等を単体或いは組み合わせて用いることができるものである。尚、これらの材料の他、薄く、可撓性を有するものであれば用いることができる。
【００１８】
また、後述する調光層８が透明に変化するものである場合には、支持体７は、可逆性表示記録シート４の片側の画像が透けて見える事を防止し、透明になった部分に色を生じさせるために、少なくとも１種類以上の耐熱性を有する色素、色材を分散し、不透明或いは着色された状態にしたものとすることが望ましい。
【００１９】
調光層８は、図５に示されたような高分子マトリックス材からなる基材１０中に粒径０．２μｍ乃至５μｍの比較的低分子量の有機材料等からなる分散材１１を分散させて構成されたものである。
このような調光層８を作製するにおいて、分散させる有機材料としては、直鎖状炭化水素、直鎖状ハロゲン化炭化水素類、直鎖状飽和又は不飽和脂肪族カルボン酸類、直鎖状飽和又は不飽和脂肪族カルボン酸のエステル及びアミド類、脂肪族チオアルコール類、ハロゲン化脂肪酸類、脂肪酸チオアルコールエステル、飽和及び不飽和脂肪族アルコール類、フェニル基含有不飽和炭化水素類等の公知の材料が使用できる。
【００２０】
これらの有機材料において、直鎖に３５乃至６００個の炭素を有するものが好適であり、特に、７２乃至３００個の炭素を有するものがより好ましい。尚、炭素数が３５よりも少なくなると、耐熱性が低下するため、分解やガス化が生じ、特性が不安定化する。また、その一方で、炭素数が６００よりも多くなると、分散処理時の粘性が大きくなり過ぎ、粒子を適正な範囲に分散させることが困難となる。
【００２１】
一方、高分子マトリックス材としては、シリコーン系樹脂、ポリイミド樹脂、ポリエステル樹脂、ポリイミドアミド樹脂、ポリアラミド樹脂、ポリスルホン樹脂、ポリキシリレン樹脂、ポリスチレン樹脂、アクリル系樹脂、ポリカーボネイト樹脂等が使用でき、分子量分布が５０００乃至１０００００の範囲のものが好適であり、特に、２５０００乃至５００００の範囲のものがより好ましい。
高分子マトリックス材に対する有機低分子材料の重量比は、２対１乃至３０対１の範囲が好適であり、特に、３対１乃至５対１の範囲がより好ましい。
【００２２】
この調光層８は、加熱により、有機材料又は高分子マトリックス材の相移転が生じ、それにより光学屈折率が変化し、発熱状態に応じて透明及び白濁が生じて画像表示させることができるようになっている。
【００２３】
保護層９は、厚さが０．１μｍ乃至２０μｍの範囲のものが好適であり、特に、０．３μｍ乃至２μｍの範囲のものがより好ましい。尚、厚さが０．１μｍより薄い場合には、保護層としての機能が十分に果たせず、繰り返し使用した場合、傷が生じたり、さらには調光層８の欠落に至る虞もある。また、２０μｍより厚い場合には、光学的なＳ／Ｎ比が低下したり、画像の解像度の低下を生じる。
【００２４】
保護層９を形成する部材としては、可視光領域で透過率が１５％以上のものを用いることが望ましい。例えば、ガラス、アクリル樹脂、ポリエステル樹脂等が使用できる。また、汚れ等の付着防止や、滑りを良くするために臨界表面エネルギーの範囲を、３００dyne／ｃｍ以下が好ましく、特に、２２dyne／ｃｍ以下であることが良好な結果を得ることからより好ましい。
【００２５】
具体的には、シリコーン系樹脂、含フッ素系樹脂等や、保護層中にシリコーン系の低分子物質や含フッ素系樹脂の粉末を混入させたものを用いて保護層９を形成することができる。尚、この場合、粉末の含有量は、２０重量％以下が好適であり、より好ましくは１重量％乃至１０重量％の範囲である。
【００２６】
さらには、帯電防止処理或いは導電性処理を保護層９（保護層９を設けない場合には調光層８）に施すことにより帯電による静電的な吸着力が発生し難く、ページがめくり易くなり、操作性を向上させることができることとなる。
帯電防止処理或いは導電性処理方法は、帯電防止剤の塗布や練り込み、導電性材料の塗布や練り込み、金属や酸化物の塗工、メッキ又は蒸着等により行うことができる。
【００２７】
具体的には、アルキル硫酸エステル、アルキルアリ−ルスルホン酸、アルキルリン酸エステル等のアニオン形界面活性剤、第４アンモニウム塩、イミダゾリン等のカチオン形界面活性剤、ベダイン等の両性形界面活性剤、ソルビタン形、エーテル形、エステル形、アルキルアミン形、アミド形の非イオン形界面活性剤、アクリル酸誘導体、ポリアルキレン・ポリアミン誘導体、ポリエチレングリコール、テレフタル酸のポリエステル等の帯電防止剤等を塗布、練り込みで用いたり、各種金属、カーボンブラック、有機錯体等の分散剤を導電性材料として塗布、練り込みで用いることができる。
【００２８】
また、保護層９（保護層９を設けない場合には調光層８）表面をエッチングした後、Ｎｉ、銀、銅等を無電界メッキするか、さらには、金、バラジウム等の貴金属や酸化スズ、酸化インジウム等の酸化物の蒸着を行うようにしてもよい。
またさらに、酸化インジウムに酸化スズをドーピングした透明導電フィルム等を保護層とするか、上述のようにして形成された保護層９の上層に積層するか又は張り合わせるようにしてもよい。
【００２９】
上述した可逆性表示記録シート４の構成の他に、支持体７の片面にのみ調光層８、保護層９を形成して片面表示の表示媒体としても勿論構わないものである。また、保護層９は、必ずしも必要なものではないが、頁をめくる際の擦れ等の磨耗から調光層８を保護するためには保護層９を積層する方が望ましい。
さらに、同様に頁をめくる際の摩擦により生じる静電気を防止するため、保護層９或いは調光層８表面に導電性処理を施すことが望ましい。尚、可逆性表示記録シート４の端面を面取りすれば、頁めくりの際、端面の鋭利な部分で指先等を傷付けることが防止でき、安全性が確保できると共に、可逆性表示記録シート４を発熱シート５の間に円滑に挿入できるようにもなるというメリットを有する。
【００３０】
本実施例の発熱シート５は、図６に示されたように、支持体１２の両面に発熱層１３が形成されてなるものである。本実施例では、複数の発熱シート５の間に、両面が表示記録できるようになっている可逆性表示記録シート４を挟み込んで加熱して使用するようにしているため（図１及び図２参照）、支持体１２の両面に発熱層１３を形成するようにしたが、可逆性表示記録シートが片面のみに調光層が形成されてなるものである場合には、支持体１２の一方の面に発熱層１３を形成するようにしてもよい。
【００３１】
支持体１２は、耐熱性（形状変形が２０％以内である温度範囲を意味し、形状変形が顕著でない場合を言う。）が５０℃以上ものが好適であり、好ましくは、２５０℃以上のものであれば如何なる材料であっても構わないが、可逆性表示記録シート４と発熱シート５との密着性を良好に保つためには薄く、可撓性のある材料が好ましい。
【００３２】
具体的にはポリイミド樹脂、ポリアラミド樹脂、ポリスルホン樹脂、ポリイミドアミド樹脂、ポリエステル−イミド樹脂、ポリフェニレンオキサイド樹脂、ポリ−ｐ−キシレン樹脂、ポリベンズイミダゾール樹脂、またはこれらの誘導体樹脂が結着成分として使用できる。さらに、セラミクス、ガラス、マイカ等の比較的剛性を有する材料等も使用することができる。
【００３３】
本実施例の発熱層１３は、図７示されたように、支持体１２の表面に形成された行電極１４、発熱手段としての発熱素子１５、列電極１６及び保護層１７からなるものである。尚、図７（ａ）は発熱層の全体斜視図、同図（ｂ）は縦断面図である。
発熱シート５に外部から画像データが入力されると、図示しない電極選択手段により選択された電極の駆動回路が動作状態となり、対応する行電極１４と列電極１６間に電流が流れ、選択された発熱素子１５だけが発熱するようになっている。
【００３４】
その結果、発熱シート５は画像状に発熱し、可逆性表示記録シート４が画像状に着色或いは消色されるようになっている。
一方、全ての行電極１４及び列電極１６を選択し、全駆動回路を動作状態とした場合には、発熱シート５は全面が発熱することとなり、可逆性表示記録シート４は全面が着色或いは消色されることとなる。
【００３５】
行電極１４及び列電極１６は、体積固有抵抗１０-2Ω・ｃｍ以下の良導電性材料より形成される。このような良導電性材料の主たる材料としては、金属や導電性セラミックス材が挙げられ、例えば、金、銀、銅、ニッケル、タンタル、モリブデン、タングステン、ロジュウム、チタン、ルテニウム、クロム、アルミニウム等の金属及び合金が使用できる。
【００３６】
このような行電極１４及び列電極１６の作製法としては、真空蒸着法、スパッタリング法、塗布法、イオンブレーティング法等の層形成方法が使用できる。厚さは、５００オングストロームから５μｍの範囲が好適であり、特に、１０００オングストローム乃至５０００オングストロームの範囲がより好ましい。尚、厚さが５μｍより厚くなると、電極から熱拡散や熱のリークが生じ易くなり、特性の低下を生じる一方、５００オングストロームよりも薄い場合には、電極の機能低下を招き、耐電流性が低下したり、帰路抵抗が上昇してエネルギー効率等の性能低下が生じるようになる。
【００３７】
発熱素子１５は、体積固有抵抗値が１０-1乃至１０8Ω・ｃｍの範囲にあるものが好適であり、好ましくは１０0乃至１０4Ω・ｃｍの範囲にあるものがよい。また、厚みは５００オングストローム乃至２０μｍが好適であり、特に、０．２乃至４．７μｍの範囲がより好ましい。さらに、発熱素子１５は、２５０℃以上の耐熱性を有することが望ましい。
【００３８】
発熱素子１５を形成する部材としては、各種のセラミック材単独よりなるもの、セラミック材料の混合物或いは複合体よりなるもの、耐熱性樹脂中に導電性フィラー及び絶縁性フュラーの一種又は数種の混合物を含むもの、各種セラミック材と金属材との混合物或いは複合物よりなるもの等が挙げられる。
【００３９】
より具体的には、導電性フェラー及び導電性材料として、Ｃ、Ｎｉ、Ａｕ、Ａg、Ｆｅ、Ｚｎ、Ａｌ、Ｔｉ、Ｔａ、Ｐｄ、Ｃｕ、Ｃｏ、Ｃｒ、Ｐｔ、Ｍｏ、Ｒｕ、Ｒｈ、Ｖ、Ｎｂ、Ｗ、Ｉｎ等の一種又は複数を含む合金、ＶＯ2、Ｒｕ2 Ｏ、ＴａＮ、ＳｉＣ、ＺｒＯ2、Ｔａ2 Ｎ、ＺｒＮ、ＮｂＮ、ＶＮ、ＴｉＢ2、ＺｒＢ2、ＨｆＢ2、ＴａＢ2、ＭｏＢ2、ＣｒＢ2、Ｂ4Ｃ，ＭoＢ、ＺｒＣ、ＶＣ、ＴｉＣ、Ｔｉ2Ｃ等が使用できる。
【００４０】
保護層１７は耐熱性が１７０℃以上で、厚みが１μｍ乃至３０μｍであるものが好適であり、特に、厚み３μｍ乃至１５μｍがより好ましい。この保護層１７を形成する具体的材料としては、酸化珪素及びその化合物、窒化珪素や炭化珪素及びその化合物、酸化タンタル、窒化タンタル、炭化タンタル及びこれらの化合物、その他の硬質セラミックス及びその化合物、ポリイミド樹脂、エポキシ樹脂、シリコン樹脂、含フッ素樹脂、これら樹脂の変性樹脂、さらには、これらの部材の複数の混合物であってもよい。
【００４１】
特に、硬質セラミックス粉体を耐熱樹脂（例えば、ポリイミド樹脂、ポリアラミド樹脂、ポリエステル樹脂、ポリイミドアミド樹脂、ポリスルホン樹脂、ポリフェニレンオキシド樹脂、ポリ−Ｐ−キシリレン樹脂等又はそれらの誘導体を含む材料など）中に分散したものは、可撓性のある発熱シートとなり、密着性を良好に保つことができるようになる。
【００４２】
また、保護層１７自体に滑剤粉体が分散された分散層構成とした場合には、耐磨耗性がより改善されるようになる。滑剤粉体としては、カーボンブラック材、グラファイト材、二硫化モリブデン材、酸化鉛材、フッ素含有樹脂材、窒化ホウ素材、炭化珪素材、シリコーンオイル、酸化ボロン材、フッ化カルシウムなどを単体或いはこれらの複数の混合物として用いることができる。
【００４３】
さらに、保護層１７に、帯電防止処理或いは導電性処理（可逆性表示記録シート４の保護層９の表面に施したものと同様の処理によるもの）を行えば、帯電による静電的な吸着力が発生し難くなり、書籍型可逆性表示記録媒体２の可逆性表示記録シート４の間に書換器３の発熱シート５のページ毎の挿入がより容易になり、操作性が向上することとなる。
【００４４】
尚、発熱シート５と可逆性表示記録シート４との密着性を向上させるため、それぞれの支持体７，１２を弾性部材から形成したり、支持体７，１２の表面に弾性部材からなる弾性層を形成するようにしてもよい。この場合、弾性部材としては、シリコーンゴム、ウレタンゴム等のゴム類、多孔性物質、発砲性物質等の耐熱性を有するものが使用できる。また、ゴム硬度（ＪＩＳ−Ｋ−６２５３ジュロメータ法に基づくもの）が２０乃至６０のものが好適であり、特に、２０乃至４５の範囲にあるものがより好ましい。
【００４５】
尚、ゴム硬度が２０未満であると、圧接圧を充分に与えることができず、可逆性表示記録シート４との弾性圧接を行い難くなり、反対にゴム硬度が６０を越えると弾性作用が得難くなり、発熱シート５表面の接触不良が発生し易くなる。
【００４６】
図８には発熱層の他の実施例が示されており、図７に示された構成要素と同一構成要素については、同一の符号を付し、その詳細な説明を省略し、以下、異なる点を中心に説明する。
図７に示された実施例では発熱素子１５が層状に設けられた構成であるのに対し、この図８における実施例では、発熱素子１５ａがマトリックス状に設けられた構成となっている。すなわち、各発熱素子  は、行電極１４と列電極１６とで仕切られた矩形状の領域に、それぞれ配置された構成となっているものである。
【００４７】
次に、表示記録シートの他の実施例について図９を参照しつつ説明する。
尚、図４に示された実施例と同一構成要素には同一符号を付してその詳細な説明を省略し、以下、異なる点を中心に説明する。
この実施例は、支持体７と調光層８との間に拡散層１８が形成された点が図４に示された実施例と異なっているものである（図９（ａ）参照）。
【００４８】
この拡散層１８の形成により、調光層８が透明状態の部分において入射光が拡散するため、可逆性表示記録シート４上の画像がより見やすくなるという効果を奏することとなる。
拡散層１８は、ポリエステル等の樹脂フェイルムなどの表面をショットプラスト法等で一定量以上荒らすことにより得られるものである（図９（ｂ）は拡散層１８の表面を拡大してその面が粗い状態を示した模式図である。）。尚、この図９に示されたように拡散層１８を独立して設けなくとも、支持体１２の表面をショットプラスト法等で一定量以上に荒らしても拡散層１８を独立して設けたと同様な効果を得ることができる。
【００６０】
次に、図１０を参照しつつ書換器の他の実施例について説明する。この実施例は、書換装置を加熱手段２９により実現したものである。すなわち、加熱手段２９は、書籍型可逆性表示記録媒体２全体を挿入できる空間を有しおり、その空間を一定温度に保持できる構造となっているものである。この加熱手段２９に書籍型可逆性表示記録媒体２を挿入して書籍型可逆性表示記録媒体２を一定時間の間、一定の温度状態とすることで、全頁の消去を一度に行えるようになっているものである。
【００６１】
最後に、可逆性表示記録シートの調光層の温度特性の一例について図１１を参照しつつ説明する。先ず、図１１（ａ），（ｂ）において、横軸は調光層の温度を、縦軸は調光層の透過濃度を、それぞれ示している。最初に、同図（ａ）は、調光層が臨界温度Ｔ1（例えば７０℃）以上となると、調光層の透過濃度が急激に変化（この例では透過濃度が高くなる）し、所定の相変化が生じ、白濁画像が形成されることが示されたものである。
【００６２】
次に、図１１（ｂ）は、調光層が第２の臨界温度Ｔ2（例えば１００℃）以上に上昇すると、相変化は元に戻り、調光層は透明な初期状態となることが示されたものである。
【００６３】
尚、上述した実施例における可逆性表示記録シート４は、主として熱により透過、白濁が可逆的に生ずるものであったが、本発明はこれに限定されることは無く、可逆性表示記録媒体であれば他の材料も用いてなるものであっても適用できるものである。例えば、フォトクロミック材料を用いた光書き込み型の可逆性表示記録媒体、スメクチック液晶を高分子樹脂中に分散した熱と電界組み合わせによる書き込み型の可逆性表示記録媒体にも応用できるものである。
【００６４】
さらに付言すれば、ロイコ染料と顕色剤とを組み合わせた熱書き込み型の可逆性表示記録媒体の場合には、上述した実施例がそのまま適用できる。また、フォトクロミック材料を用いた可逆性表示記録媒体とした場合には、発熱シートの代わりに面状発光シートを用いたり、レーザ光による順次露光等の手段が用いられる。
【００６５】
さらに、スメクチック液晶を用いた可逆性表示記録媒体とした場合、垂直発光処理を施した基板内に保持するようにすれば、上述した実施例で述べた発熱シートによる書換器がそのまま利用でき、また、そのような構成としない場合には、電極のみがマトリックス状に配列された電圧印加シートを用いるが、電圧印加シートと発熱シートとを組み合わせたものを用いればよい。
【００６６】
上述した実施例の表示記録装置１によれば、書き込み、消去が可能な可逆性表示記録シート４を複数枚有してなる書籍型表示記録媒体２と、表示記録シート４の書き込み、消去を行う発熱シート５を複数枚有してなる可逆性表示記録媒体用書換器３とから書換可能な表示記録装置１が構成されるので、小型で携帯性に富みながらも比較的多くの情報の書き込み、消去が簡易にできるという効果を奏するものである。
また、コネクタのような着脱を繰り返す電気部品がないので、信頼性、耐久性に高い書換可能な表示記録装置１とすることができる。
【００６７】
上述した実施例の書籍型表示記録媒体２によれば、書き換え可能な表示記録シート４を書籍のように綴じた構成としたので、本のような携帯性と使い勝手を有しながらも比較的多くの情報の書き込み、消去が可能とすることができる。
また、いわゆる電子情報ブックと異なり高価な電子部品を要しないので、比較的低コストで良好な画質の書籍型表示記録媒体２とすることができる。
さらに、コネクタのような着脱を繰り返す電気部品がないので、信頼性、耐久性に高い書籍型表示記録媒体２とすることができる。
【００６８】
上述した実施例の可逆性表示記録用書換器３によれば、表示記録シート４の書き換え、消去を行える複数枚の発熱シート５が、複数枚の表示記録シート４の挿入ができるように綴じられて構成されたので、比較的小型で携帯性に富みながらも複数の表示記録シート４の書き込み、消去を可能とすることができる。
【００６９】
また、表示記録装置１又は可逆性表示記録媒体用書換器３において、発熱シート４は、少なくとも２以上の所定の温度に制御されるように構成することにより、表示の消去、書き込みが単一の発熱シートの発熱量の制御のみで済むので、任意の部分の消去、書き込み作業が効率的に行えることとなる。
【００７０】
また、書籍型可逆性表示記録媒体２を構成する表示記録シート４は、熱伝導性の低い部材からなる支持体の両面に少なくとも調光層８が形成されることにより、両面印字が可能となり、本のようないわゆる見開き表示が可能となる。
【００７１】
また、表示記録装置１又は書籍型可逆性表示記録媒体２において、表示記録シート４の端部が面取りされてなることにより、頁めくりの際の安全性が確保されると共に、発熱シート５の間への表示記録シートの挿入が円滑に行える。
【００７２】
また、表示記録装置１又は書籍型可逆性表示記録媒体２において、表示記録シート４の表面に帯電防止処理又は導電性処理が施されているので、静電気の帯電による表示記録シート４同士の吸着が生じ難くなり、頁の分離が容易になり、操作性が向上することとなる。
【００７３】
【発明の効果】
以上、述べたように、請求項１記載の発明によれば、書き込み、消去が可能な可逆性表示記録シートを複数枚有してなる書籍型表示記録媒体と、表示記録シートの書き込み、消去を行うエネルギ印加用のシートを複数枚有してなる可逆性表示記録媒体用書換器とから書換可能な表示記録装置が構成されるので、小型で携帯性に富みながらも比較的多くの情報の書き込み、消去が簡易にできるという効果を奏するものである。また、コネクタのような着脱を繰り返す電気部品がないので、信頼性、耐久性に高い書換可能な表示記録装置を提供することができる。
【００７５】
請求項２記載の発明によれば、表示記録シートの書き換え、消去を行える複数枚のエネルギ印加用のシートが、複数枚の表示記録シートの挿入ができるように綴じられて構成されたので、比較的小型で携帯性に富みながらも複数の表示記録シートの書き込み、消去を可能とした可逆性表示記録用書換器を提供することができる。
【図面の簡単な説明】
【図１】請求項１記載の発明に係る書換可能な表示記録装置の一実施例の構成を示す構成図である。
【図２】 （ａ）及び（ｂ）は、図１に示された表示記録装置による書き換えの際の状態を示す説明図である。
【図３】 書籍型可逆性表示記録媒体の可逆性表示記録シートを可逆性表示記録媒体用書換器の発熱シート間に挿入した状態における縦断面図である。
【図４】可逆性表示記録シートの構成を示す縦断面図である。
【図５】図４に示された可逆性表示記録シートに用いられる調光層の拡大縦断面図である。
【図６】発熱シートの縦断面図である。
【図７】（ａ）及び（ｂ）は、発熱シートを構成する発熱層の一実施例における構成を示す構成図である。
【図８】（ａ）及び（ｂ）は、発熱層の他の実施例における構成を示す構成図である。
【図９】（ａ）及び（ｂ）は、可逆性表示記録シートの他の実施例における構成を示す構成図である。
【図１０】可逆性表示記録媒体用書換器の実施例を示す構成図である。
【図１１】（ａ）及び（ｂ）は、可逆性表示記録シートの温度特性を示す特性線図である。
【符号の説明】
１…書換可能な表示記録装置、 ２…書籍型可逆性表示記録媒体、 ３…可逆性表示記録媒体用書換器、 ４…可逆性表示記録シート、
５…発熱シート、 ６…加圧手段、 ７…支持体、 ８…調光層、 ９…保護層、 １３…発熱層、 １４…行電極、 １５，１５ａ…発熱素子、 １６…列電極、 １７…保護層。
【図１】
0003791553.tif 000002
【図２】
0003791553.tif 000003
【図３】
0003791553.tif 000004
【図４】
0003791553.tif 000005
【図５】
0003791553.tif 000006
【図６】
0003791553.tif 000007
【図７】
0003791553.tif 000008
【図８】
0003791553.tif 000009
【図９】
0003791553.tif 000010
【図１０】
0003791553.tif 000011
【図１１】
0003791553.tif 000012